(57)【要約】      （修正有）【課題】回転アンテナの検知精度の低下を抑える。【解決手段】導波管に導かれたマイクロ波を加熱室に放射する加熱室底面に形成された開孔部と、開孔部を貫通して導波管から加熱室内へ位置するアンテナポストと、アンテナポストの一端に設けられた回転アンテナと、導波管の外側で回転アンテナを回転させる回転アンテナ駆動手段４６と、回転アンテナ駆動手段４６の回動軸とアンテナポストの他端とを連結する誘電体軸５３と、回転アンテナと同期して回転し、回動軸と誘電体軸５３の間に位置する遮光板５２と、遮光板５２により光が遮断されたことで回転アンテナの回転を検出する位置検出器Ｃと、回転アンテナ駆動手段４６と位置検出器Ｃを固定するユニット台４８と、導波管の下部にユニット台４８を固定する取付台と、を備える。【選択図】図８
2017198399.tif 000002
【特許請求の範囲】
【請求項１】
加熱室と、
マイクロ波を発振するマグネトロンと、
前記マイクロ波を導く前記加熱室下部の導波管と、
該導波管に導かれた前記マイクロ波を前記加熱室に放射する前記加熱室底面に形成された開孔部と、
該開孔部を貫通して前記導波管から前記加熱室内へ位置するアンテナポストと、
該アンテナポストの一端に設けられた回転アンテナと、
前記導波管の外側で前記回転アンテナを回転させる回転アンテナ駆動手段と、
該回転アンテナ駆動手段の回動軸と前記アンテナポストの他端とを連結する誘電体軸と、
前記回転アンテナと同期して回転し、前記回動軸と前記誘電体軸の間に位置する遮光板と、
該遮光板により光が遮断されたことで前記回転アンテナの回転を検出する位置検出器と、
前記回転アンテナ駆動手段と前記位置検出器を固定するユニット台と、
前記導波管の下部に前記ユニット台を固定する取付台と、
を備えたことを特徴とする高周波加熱調理器。
【請求項２】
前記遮光板に長方形状穴部を形成し、前記回動軸に長方形状軸部を備え、前記長方形状穴部に前記長方形状軸部が勘合していることを特徴とする、請求項１記載の高周波加熱調理器。
【発明の詳細な説明】
【技術分野】
【０００１】
本発明は、高周波加熱調理器に関するものである。
【背景技術】
【０００２】
本技術分野の背景技術として、特開２０１３−１２０００４号公報（特許文献１）がある。特許文献１には、「円板３６ａは、回転アンテナ３９を回転させるモータ４１のシャフト５０の軸に取り付けられていて、発光素子と受光素子とを備えたフォトインタラプタ３６の光路を遮るように回転するものである。」と記載がある。
【先行技術文献】
【特許文献】
【０００３】
【特許文献１】特開２０１３−１２０００４号公報
【発明の概要】
【発明が解決しようとする課題】
【０００４】
しかしながら、特許文献１の回転アンテナでは、シャフトや円板が傾くことや、モータとフォトインタラプタとの取付位置がばらつくことで、検知精度が低下するおそれがある。
【０００５】
そこで本発明は、回転アンテナの検知精度の低下を抑えることを目的とする。
【課題を解決するための手段】
【０００６】
上記課題を解決するために、本発明は、加熱室と、マイクロ波を発振するマグネトロンと、前記マイクロ波を導く前記加熱室下部の導波管と、該導波管に導かれた前記マイクロ波を前記加熱室に放射する前記加熱室底面に形成された開孔部と、該開孔部を貫通して前記導波管から前記加熱室内へ位置するアンテナポストと、該アンテナポストの一端に設けられた回転アンテナと、前記導波管の外側で前記回転アンテナを回転させる回転アンテナ駆動手段と、該回転アンテナ駆動手段の回動軸と前記アンテナポストの他端とを連結する誘電体軸と、前記回転アンテナと同期して回転し、前記回動軸と前記誘電体軸の間に位置する遮光板と、該遮光板により光が遮断されたことで前記回転アンテナの回転を検出する位置検出器と、前記回転アンテナ駆動手段と前記位置検出器を固定するユニット台と、前記導波管の下部に前記ユニット台を固定する取付台と、を備える。
【発明の効果】
【０００７】
本発明によれば、回転アンテナの検知精度の低下を抑えることができる。
【図面の簡単な説明】
【０００８】
【図１】本発明の実施例に関する高周波加熱調理器の正面斜視図。
【図２】本発明の実施例に関する高周波加熱調理器の外枠を外した背面斜視図。
【図３】図１のＡ−Ａ断面図であって外枠を外した状態の図。
【図４】本発明の実施例に関する高周波加熱調理器の外枠と底板を外した底面図。
【図５】本発明の実施例に関する高周波加熱調理器の回転アンテナと駆動ユニットを説明する斜視図。
【図６】図５の回転アンテナと駆動ユニットの縦断面図。
【図７】本発明の実施例に関する高周波加熱調理器の導波管と駆動ユニットを説明する斜視図。
【図８】本発明の実施例に関する高周波加熱調理器の駆動ユニットを説明する斜視図。
【図９】本発明の実施例に関する高周波加熱調理器の回転アンテナ駆動手段を説明する上面斜視図。
【図１０】本発明の実施例に関する高周波加熱調理器の遮光板を説明する上面斜視図。
【図１１】本発明の実施例に関する高周波加熱調理器の位置検出器を説明する上面斜視図。
【図１２】本発明の実施例に関する高周波加熱調理器のアンテナポストを説明する底面斜視図。
【図１３】本発明の実施例に関する高周波加熱調理器の誘電体軸を説明する底面斜視図。
【発明を実施するための形態】
【０００９】
以下図面を参照して本発明の実施例を説明する。
加熱調理器の本体１は、加熱室２８の中に加熱する食品などの被加熱物を収容して、マイクロ波やヒータの熱を使用して食品を加熱調理する。
【００１０】
ドア２は、加熱室２８の内部に食品を出し入れするために開閉するもので、ドア２を閉めることで加熱室２８を密閉状態にし、食品を加熱する時に使用するマイクロ波の漏洩を防止し、ヒータの熱を封じ込め、効率良く加熱することを可能とする。
【００１１】
取っ手９は、ドア２に取り付けられ、ドア２の開閉を容易にするもので、手で握りやすい形状になっている。
【００１２】
ガラス窓３は、調理中の食品の状態が確認できるようにドア２に取り付けられており、ヒータ等の発熱による高温に耐えるガラスを使用している。
【００１３】
入力手段７１は、ドア２の前面下側の操作パネル４に設けられ、マイクロ波加熱やヒータ加熱等の加熱手段を選択し、加熱する時間、加熱温度を入力するための操作部６と、操作部６から入力された内容や調理の進行状態を表示する表示部５とで構成されている。外枠７は、加熱調理器の本体１の上面と左右側面を覆うキャビネットである。
【００１４】
後板（図示せず）は、前記したキャビネットの後面を形成するものであり、上部に外部排気ダクト１８が取り付けられ、食品から排出した蒸気や本体１の内部の部品を冷却した後の冷却風（廃熱）３９を外部排気ダクト１８の外部排気口８から排出する。
【００１５】
機械室２０は、加熱室底面２８ａと本体１の底板２１との間の空間部に設けられ、底板２１上には食品を加熱するためのマグネトロン３３、マグネトロン３３を取り付けて接続された導波管４７、制御基板２３、その他後述する各種部品、これらの各種部品を冷却するファン装置１５等が取り付けられている。
【００１６】
加熱室底面２８ａは、略中央部が凹状に窪んでおり、その中に回転アンテナ２６が設置され、マグネトロン３３より発信して放射されるマイクロ波エネルギーが導波管４７に導かれる。そして、マイクロ波を加熱室２８に放射するように加熱室底面２８ａに導かれ、回転アンテナ２６のアンテナポスト４６ａが略垂直に貫通する開孔部４７ａを通して、回転アンテナ２６の下面に流入し、マイクロ波は、該回転アンテナ２６で拡散されて加熱室２８内に放射される。回転アンテナ２６はアンテナポスト４６ａに略水平に設けられ、アンテナポスト４６ａは誘電体軸５３を介して回転アンテナ駆動手段４６に連結されている。回転アンテナ駆動手段４６の動作により回転アンテナ２６が回転し、マイクロ波が攪拌されてテーブルプレート２４に載せられた被加熱物に放射される。
【００１７】
ファン装置１５は、ファン部１５ａを備え、ファン部１５ａは本体１の底部の底板２１に配置して取り付けた冷却モータ１５ｃと、冷却モータ１５ｃに取り付けられたファン１５ｄとで構成する。このファン装置１５によって発生する冷却用空気である冷却風３９を送風して、機械室２０内の自己発熱するマグネトロン３３やインバータ基板２３０、重量検出手段２５ｃ，２５ｂなどを冷却する。また、加熱室２８の外側と外枠７の間、および加熱室２８の外側の後述の熱風ケース１１ａと後板の間を流れ、外枠７と後板を冷却しながら外部排気ダクト１８の外部排気口８より排出される。
【００１８】
加熱室２８の奥側の加熱室奥壁面２８ｂの後方には、加熱室２８の空気を循環して加熱する熱風ユニット１１が取り付けられる。加熱室２８の奥側の加熱室奥壁面２８ｂには、空気の通り道となる熱風吸気孔３１と、熱風吹出し孔３０が設けられている。
【００１９】
熱風ユニット１１は、加熱室奥壁面２８ｂの後部側に熱風ケース１１ａを設け、加熱室奥壁面２８ｂと熱風ケース１１ａとの間に、熱風ケース１１ａの中に収容された熱風ファン３２とその外周側に位置し、循環する空気を加熱する熱風ヒータ１４を設ける。
【００２０】
加熱室２８の加熱室天面２８ｃの裏側には、ヒータよりなるグリル加熱手段１２が取り付けられている。グリル加熱手段１２は、マイカ板にヒータ線を巻き付けて平面状に形成し、加熱室２８の天面裏側に押し付けて固定し、加熱室２８の天面を加熱して加熱室２８内の食品を輻射熱によって焼くものである。
【００２１】
また、加熱室２８の加熱室天面２８ｃの奥側には、後述する赤外線ユニット５０が設けられ、赤外線ユニット５０を冷却するために赤外線ケース４８にて覆い、ダクト１６と接続し、ファン装置１５からの冷却風３９の一部を取り入れるようにしている。
【００２２】
また、加熱室底面２８ａには、複数個の重量検出手段２５、例えば前側左右に左側重量センサ２５ｂ、右側重量センサ（図示無し）、後側中央に奥側重量センサ２５ｃが設けられ、その上にテーブルプレート２４が載置されている。
【００２３】
テーブルプレート２４は、食品を載置するためのもので、ヒータ加熱とマイクロ波加熱の両方に使用できるように耐熱性を有し、かつ、マイクロ波の透過性が良い材料で成形されている。
【００２４】
次に、図４を参照して機械室２０に配置するファン装置１５と他の部品について説明する。
機械室２０の右側に制御基板２３を配置し、制御基板２３の側面を覆うケース２３ａを備える。ケース２３ａには、奥側重量センサ２５ｃへ冷却風３９ｇを導く分岐路２３ｂを設けている。機械室２０の左右方向の中央部には、インバータ基板２３０を配置しており、インバータ基板２３０はケース２３０ａに収納されている。ケース２３０ａはダクト１６（図２）と連通している。ファン装置１５の後方中央部には、回転アンテナ２６を駆動する駆動ユニット５４を備える。機械室２０の左側にマグネトロン３３を備える。
【００２５】
ファン装置１５は、冷却モータ１５ｃとファン１５ｄ（図３）を備えるファン部１５ａと、ケーシング１５ｂにより構成される。さらに、左側流路１５Ｐ、右側流路１５Ｑ、中央流路１５Ｒの複数の流路１５Ｓを備える。図４に示す矢印は、冷却風の流れを示し、左側流路１５Ｐには冷却風３９ａ、３９ｂが流れ、右側流路１５Ｑには冷却風３９ｅ、３９ｆが流れ、中央流路１５Ｒには、冷却風３９ｃ、３９ｄが流れる。冷却風３９ｃが機械室２０の略中央に配置する駆動ユニット５４に向けて流れて、その後に機械室２０全体を冷却する空気として流れる。また、ケース２３０ａから冷却風３９ｈがダクト１６に流れる。
【００２６】
次に、図５から図１３において、回転アンテナ２６を回転させる駆動ユニット５４について説明する。
図５は、回転アンテナ２６と、回転アンテナ２６に接続するアンテナポスト４６ａと、アンテナポスト４６ａに接続する駆動ユニット５４の斜視図である。図６は、図５の回転アンテナ２６、アンテナポスト４６ａ及び駆動ユニット５４の縦断面図である。駆動ユニット５４には、位置検出器Ｃと、回転アンテナ駆動手段４６を固定するユニット台４８と、回転アンテナ駆動手段４６に固定する遮光板５２と、誘電体軸５３が設けられる。上下に一対のセンサＣ１，Ｃ１の間には、遮光板５２がモータ軸（回動軸）５５の回動と共に回動して通過する。
【００２７】
次に、図１２で、回転アンテナ２６に接続するアンテナポスト４６ａについて説明する。アンテナポスト４６ａはアルミ製である。アンテナポスト４６ａの回転位置と回転アンテナ２６の回転位置が定まるように、上部のアンテナ取付部４６ａ４で金属製平板の回転アンテナ２６に嵌めている。下面４６ａ１には、誘電体軸５３と接続する接続穴４６ａ３を備える。接続穴４６ａ３は、下面４６ａ１の内側に凹部４６ａ２を備える。凹部４６ａ２は、誘電体軸５３の先端部５３ａ１に備える凸部５３ａ２（図８）が嵌まる部分である。そして、凹部４６ａ２と凸部５３ａ２が嵌まって回転止めとなることで、誘電体軸５３の回転位置とアンテナポスト４６ａの回転位置が定まり、回転アンテナ２６の回転位置も定まる。
【００２８】
次に、図１３において、回転アンテナ駆動手段４６に接続し、前記アンテナポスト４６ａに接続する誘電体軸５３について説明する。
誘電体軸５３は、熱可塑性フッ素樹脂である。低誘電損失の特性を有しており、色は白色で透光性である。電波による影響をほとんど受けないため、加熱されにより溶解されないので、経年変化が少なく形状を維持できる。そのため、マイクロ波が集中する導波管４７の中に配置しても、回転アンテナ駆動手段４６の回転をアンテナポスト４６ａに伝える性能を維持できる。
【００２９】
誘電体軸５３は、略円柱形状としている。また、上記のように透光性なので、遮光性が低い。
【００３０】
そこで、本実施例では遮光板５２とセンサＣ１，Ｃ１を用いて、回転アンテナ２６の回転位置を検出する構成としている。
【００３１】
また、誘電体軸５３の下部には押さえ部５３ａ３が形成されている。この押さえ部５３ａ３の底面には、遮光板５２を押さえるために平面状の押さえ面５３ａ４が形成されている。押さえ面５３ａ４には、回転アンテナ駆動手段４６ａのモータ軸５５と接続する接続穴５３ａ５が形成されている。接続穴５３ａ５には、Ｄカット部５３ａ６が形成されており、モータ軸５５のＤカット部５５ａが嵌められることで一体に回動するように接続する。すなわち、Ｄカット部５３ａ６とＤカット部５５ａが嵌まることで、モータ軸５５の回転位置と誘電体軸５３の回転位置が定まる。
【００３２】
Ｄカット部５３ａ６は、略長方形状であり、略平行の縁部と、該略平行の縁部の端部同士を連結する連結縁部とで形成される。連結縁部は、円弧状であり、外側にやや湾曲した形状である。
【００３３】
誘電体軸５３の上方の先端部５３ａ１には、凸部５３ａ２を備える。そして、アンテナポスト４６ａの凹部４６ａ２と凸部５３ａ２とが嵌まることで、回転止めとなり、誘電体軸５３の回転位置とアンテナポスト４６ａの回転位置が定まり、回転アンテナ２６の回転位置も定まる。
【００３４】
次に、図９において、回転アンテナ駆動手段４６について説明する。回転アンテナ駆動手段４の上側には、モータ軸（回動軸）５５を設けている。モータ軸５５は、先端側が対面する２箇所にＤカット部５５ａを備え、Ｄカット部５５ａの下方の基側（モータ軸５５の軸受側）には、後述の遮光板５２を水平に受けるための略水平面を成す押さえ部５５ｂを備える。また、側面に突出する腕部４６ｕに取付穴Ｍ４６ｃを備える。
【００３５】
回転アンテナ駆動手段４６は、ＤＣ電源で回転するステッピングモータである。そのため、５０/６０Ｈｚ電源に関係なく、ＤＣ電源で動作して設計しやすく小型軽量で低コストにできる。
【００３６】
次に、図１０において、遮光板５２について説明する。遮光板５２は硬質の黒色樹脂製の薄板状（例えば厚さ０．２５ｍｍ）で、材質はＰＥＴ樹脂のシートである。遮光板５２は、光が透過せず、反射しない光学濃度を持つため、位置検出器Ｃの光を確実に遮光できる。また、ＰＥＴ樹脂のシートを用いることによって、打ち抜きで作製でき、コストを抑えられる。一般的に樹脂の成型品はコストがかかるだけでなく、着色剤であるマスターバッチ等を混ぜて光を通さなくする必要があるが、ＰＥＴ樹脂であればそれらを解消できるため、本実施例ではＰＥＴ樹脂のシートとしている。
【００３７】
遮光板５２は略舌状であり、略中央から偏心した位置に穴（例えばＤカット穴５２ａ）が形成されている。Ｄカット穴５２ａから長辺側が、位置検出器ＣのセンサＣ１の間を通る遮光部５２ｂとなる。遮光板５２は、表裏の区別がなくモータ軸５５に取付けられる。
【００３８】
遮光部５２ｂの外形は半円形状をなしていて、回転半径内に異物があっても引っかかりを少なくして回転することができる。また、半円形状で位置検出器ＣのセンサＣ１，Ｃ１の間の壁Ｃ６との隙間が最も短くなる部分をＦ点としている（０参照）。Ｆ点はＤカット穴５２ａの回転中心から最も遠い位置である。
【００３９】
遮光板５２は、Ｄカット穴５２ａが形成されており、モータ軸５５のＤカット部５５ａに嵌めて押さえ部５５ｂに支えられ、モータ軸５５の押さえ部５５ｂと誘電体軸５３の押さえ面５３ａ４とに挟まれる。
【００４０】
Ｄカット部（長方形状軸部）５５ａは、略長方形状であり、略平行の縁部と、該略平行の縁部の端部同士を連結する連結縁部とで形成される。連結縁部は、円弧状であり、外側にやや湾曲した形状である。
【００４１】
Ｄカット穴（長方形状穴部）５２ａは、略長方形状であり、略平行の縁部と、該略平行の縁部の端部同士を連結する連結縁部とで形成される。連結縁部は、円弧状であり、外側にやや湾曲した形状である。すなわち、Ｄカット部（長方形状軸部）５５ａとＤカット穴（長方形状穴部）５２ａは略同等の外形寸法である。
【００４２】
これにより、遮光板５２は、モータ軸５５の回転で誘電体軸５３と同期して回転する。遮光板５２は、水平面を成す押さえ部５５ｂに支えられ、平面の押さえ面５３ａ４とで挟まれることで、モータ軸５５の回転に略垂直に取付けた遮光板５２は、略水平を維持してモータ軸５５と誘電体軸５３と同期して回転する。
【００４３】
また、遮光板５２は、モータ軸５５のＤカット部５５ａにあわせたＤカット穴５２ａを設けているので、モータ軸５５との相対位置がずれず、同期して回動するので、検知精度を保つことができる。
【００４４】
そして、モータ軸５５の回転に略垂直に取付けた遮光板５２は、先端まで略たわむことなく、略水平に回転できるので、位置検出器Ｃの上下のセンサＣ１の間や、ユニット台４８の上板４８ｊや通し穴４８ｅにひっかからず、安定して回転させることができ、回転アンテナ２６の回転動作の邪魔をしない。
【００４５】
そして、冷却風３９ｃなどが通る部分に配置した駆動ユニット５４のユニット台４８の上板４８ｊの上部に配置する遮光板５２の周囲に異物があっても、遮光板５２を回転してかき出して排除できる。さらに反発性があるため、異物を排除するときに、変形したままにならず、割れにくく、元の形状に戻るため、位置検出器ＣのセンサＣ１をいためることはなく、経年による変形や変化が起こりにくい。
【００４６】
また、誘電体軸５３の下に遮光板５２が接して設けていても、誘電体軸５３の性能には影響がない。
【００４７】
次に、図１１において、位置検出器Ｃについて説明する。位置検出器Ｃはフォトインタラプタで遮光板５２の光の遮断で回転を検出する。センサＣ１，Ｃ１を上下に空間を挟んで配置し、下から発光して上で受光する。端子Ｃ３を下端に配置してセンサＣ１と端子Ｃ３は基板Ｃ２に備えられ、全体を樹脂の本体Ｃ４で抱えられている。本体Ｃ４はユニット台４８（図８）に固定するツメＣ５をセンサＣ１と反対方向に向けて設けている。センサＣ１，Ｃ１で上下間の光を通すか、遮るかの信号を基板Ｃ２から端子Ｃ３を経て制御基板２３に出力される。センサＣ１を上下に樹脂製の薄板状の遮光板５２に対して広い空間を取って設けている。そのため、遮光板５２がセンサＣ１，Ｃ１の上下にひっかからない。
【００４８】
図８は、回転する回転アンテナ駆動手段４６と回転検出の位置検出器Ｃによる複数部品が正しい位置に組み込まれてユニット化した状態の駆動ユニット５４である。駆動ユニット５４は、ユニット台４８の上板４８ｊの通し穴４８ｅを通して、側部に設けたセンサ窓４８ｄに外方向に位置検出器ＣのツメＣ５を嵌めて固定する。
【００４９】
また、ユニット台４８の下側から回転アンテナ駆動手段４６のモータ軸５５を通し穴４８ｅに通して、上板４８ｊに設けたガイド４８ｇ（図７）に腕部４６ｕを案内されて位置が定まり、底部４６ｔを上板４８ｊの下方に設ける支持部下４８ａで挟んで固定されている。
【００５０】
支持部下４８ａによって回転アンテナ駆動手段４６の底部４６ｔの一部を支え、上板４８ｊによって回転アンテナ駆動手段４６の上部全面を支えて仮固定されてユニット化される。
【００５１】
そして、図７に示す取付台４７ｂに、回転アンテナ駆動手段４６の取付穴Ｍ４６ｃとユニット台４８の取付穴４８ｃにねじを通して固定する。生産時には、図７の上下反転して取付台４７ｂの上から駆動ユニット５４をねじで固定する。このように、ユニット台４８に、位置検出器Ｃと回転アンテナ駆動手段４６を固定してユニット化することで、二つの部品間の位置関係を管理しやすくできる。そして、ユニット台４８に取り付けた回転アンテナ駆動手段４６のモータ軸５５に遮光板５２を嵌めて、誘電体軸５３が遮光板５２の遮光部５２ｂの方向に先端部５３ａ1の凸部５３ａ２の向きをあわせて嵌める。位置検出器Ｃで遮光板５２の回転によって光を遮ることで回転を検出する。駆動ユニット５４は、位置検出器Ｃで常時光路を開放し、回転する遮光板５２により極一時的に遮光されたときに回転を検出する。
【００５２】
回転アンテナ駆動手段４６のモータ軸５５に設けられているＤカット部５５ａは、対向して二カ所あるので遮光板５２の遮光部５２ｂの向きを１８０度変えて自由に固定できるので、回転アンテナ駆動手段４６と位置検出器Ｃを固定した後でも、モータ軸５５の停止位置に影響される事無く遮光板５２を固定できる。
【００５３】
図７において、導波管４７の下部に取付台４７ｂを取り付けて設け、駆動ユニット５４を取付台４７ｂに固定する。駆動ユニット５４は、ユニット台４８に、位置検出器Ｃと回転アンテナ駆動手段４６を固定してユニット化していて、そのユニット状態のまま駆動ユニット５４を、回転アンテナ駆動手段４６の取付穴Ｍ４６ｃとユニット台４８の取付穴４８ｃにネジを通して取付台４７ｂに固定する。
【００５４】
回転アンテナ駆動手段４６により回転アンテナ２６が回転駆動されると、誘電体軸５３と回転アンテナ駆動手段４６のモータ軸５５で挟まれた遮光板５２により位置検出器Ｃの基板Ｃ２がオン，オフを検出して発生した信号を制御基板２３に入力して、回転アンテナ２６の回転角度を検出する。
【００５５】
回転アンテナ２６により加熱室２８内に放射されるマイクロ波の出力は、回転アンテナ２６の回転角度により、マグネトロン３３により放射されるマイクロ波の出力が最大となる発振領域が存在する。制御基板２３により位置検出器Ｃからの検出信号が検出されたタイミングで回転アンテナ駆動手段４６を制御して回転アンテナ２６を停止させて、マイクロ波を被加熱物に放射することにより、被加熱物はマグネトロン３３からのマイクロ波の出力が最大となる発振領域で加熱されるため、被加熱物の加熱効率を高めることができる。
【００５６】
本実施例によれば、加熱室と、マイクロ波を発振するマグネトロンと、前記マイクロ波を導く前記加熱室下部の導波管と、該導波管に導かれた前記マイクロ波を前記加熱室に放射する前記加熱室底面に形成された開孔部と、該開孔部を貫通して前記導波管から前記加熱室内へ位置するアンテナポストと、該アンテナポストの一端に設けられた回転アンテナと、前記導波管の外側で前記回転アンテナを回転させる回転アンテナ駆動手段と、該回転アンテナ駆動手段の回動軸と前記アンテナポストの他端とを連結する誘電体軸と、前記回転アンテナと同期して回転し、前記回動軸と前記誘電体軸の間に位置する遮光板と、該遮光板により光が遮断されたことで前記回転アンテナの回転を検出する位置検出器と、前記回転アンテナ駆動手段と前記位置検出器を固定するユニット台と、前記導波管の下部に前記ユニット台を固定する取付台と、を備える。これにより、回転する部品である回転アンテナ駆動手段４６や回転検出の位置検出器Ｃなどの複数部品が正しい位置に組み込まれてユニット化して取り扱いしやすい。また、回転アンテナの検知精度の低下を抑えることができる。
【符号の説明】
【００５７】
２６      回転アンテナ
２８      加熱室
２８ａ    加熱室底面
３３      マグネトロン
４６      回転アンテナ駆動手段
４６ａ    アンテナポスト
４７      導波管
４７ｂ    取付台
４７ａ    開孔部
４８      ユニット台
４８ａ    支持部下
４８ｄ    センサ窓
４８ｊ    上板
５２      遮光板
５２ａ    Ｄカット穴（長方形状穴部）
５３      誘電体軸
５３ａ４  押さえ面
５３ａ５  接続穴
５３ａ６  Ｄカット部
５４      駆動ユニット
５５      モータ軸（回動軸）
５５ａ    Ｄカット部（長方形状軸部）
５５ｂ    押さえ部
Ｃ        位置検出器
Ｃ５      ツメ
【図１】
2017198399.tif 000003
【図２】
2017198399.tif 000004
【図３】
2017198399.tif 000005
【図４】
2017198399.tif 000006
【図５】
2017198399.tif 000007
【図６】
2017198399.tif 000008
【図７】
2017198399.tif 000009
【図８】
2017198399.tif 000010
【図９】
2017198399.tif 000011
【図１０】
2017198399.tif 000012
【図１１】
2017198399.tif 000013
【図１２】
2017198399.tif 000014
【図１３】
2017198399.tif 000015